(57)【要約】【課題】打設するコンクリート壁の厚さに合わせた長さのものをいちいち用意しておく必要のない壁貫通用スリーブを提供する。【解決手段】コンクリート壁ＫＷに埋設されて、該コンクリート壁ＫＷを貫通する壁貫通用スリーブ３０であって、筒状に形成された合成樹脂製のスリーブ５と、円盤状のフランジ６を一体に有した筒状であって、その両端にスリーブ５の差込口７を備えた合成樹脂製の接続体１０とからなり、スリーブ５は、一端に管又は管接続体が接続可能な接続部１を備え、他端側（本体筒部２）は、適宜切断されて差込口７に挿入され、接続体１０と接続可能となっている。【選択図】図４
2008308936.tif 000002
【特許請求の範囲】
【請求項１】
コンクリート壁に埋設されて、該コンクリート壁を貫通する壁貫通用スリーブであって、
筒状に形成された合成樹脂製のスリーブと、円盤状のフランジを一体に有した筒状であって、その両端に前記スリーブの差込口を備えた合成樹脂製の接続体とからなり、
前記スリーブは、一端に管又は管接続体が接続可能な接続部を備え、他端側は、適宜切断されて前記差込口に挿入され、前記接続体と接続可能となっていることを特徴とする壁貫通用スリーブ。
【請求項２】
接続体は、支骨鉄筋に架設支持された鉄筋を挿通する鉄筋挿通孔を備えた鉄筋固定部と、手により三次元方向に折り曲げ自在な線材を挿通する線材挿通孔を備えた線材固定部とを備えていることを特徴とする請求項１記載の壁貫通用スリーブ。
【請求項３】
接続体のフランジが、接続体の軸方向長さの中心から偏った位置に設けられていることを特徴とする請求項１または２記載の壁貫通用スリーブ。
【請求項４】
スリーブの接続部は、他の部分である本体筒部に比べて、より径が大きくなっていることを特徴とする請求項１から３のいずれか記載の壁貫通用スリーブ。
【発明の詳細な説明】
【技術分野】
【０００１】
本発明は、コンクリート壁に埋設されて、該コンクリート壁を貫通する通路を提供する壁貫通用スリーブに関する。
【背景技術】
【０００２】
コンクリート壁を打設する際には、その壁を形成する型枠に壁貫通用スリーブを固定して置き、打設後は、この壁貫通用スリーブ内部の通路を各種配管や配線の通路として用いている。
【０００３】
図８は、このような壁貫通用スリーブの内、本発明の背景技術となる壁貫通用スリーブの一例の使用方法の説明図である。この壁貫通用スリーブは、特許文献１に記載されたものである。
【０００４】
この壁貫通用スリーブ６０は、筒状のスリーブ５５と、筒状であって、スリーブ５５をその両端開口端内周に接続可能で、その筒状外周の軸方向の中心に円盤状の防水フランジ５６を一体に有した接続体５８とを備えている。
【０００５】
スリーブ５５の一端外周には、パイプ接続用の雄ネジ部５５ａが形成され、接続体の両端開口端内周には、この雄ネジ部５５ａに対応した雌ネジ部５７が形成されている。
【０００６】
このような構成で、この壁貫通用スリーブ６０によれば、接続体５８の両側にスリーブ５５をネジ嵌合させ、コンクリート打設の際、型枠内に固定しておけば、図８のようにコンクリート壁ＫＷを貫通する管Ｐのための通路を確保することができ、その際、この壁貫通用スリーブ６０の外周を伝って通過しようとする水を防水フランジ５６で阻止することができる。
【０００７】
しかしながら、この壁貫通用スリーブ６０においては、２つのスリーブ５５を接続体５８にネジ込みした状態の全長を、コンクリート壁ＫＷの厚さに一致させるために、スリーブ５５を予め壁厚に対応した長さに揃えておく必要があった（特許文献１の明細書頁５、上から４行目から６行目）。
【０００８】
本出願人によれば、このようにコンクリート壁ＫＷの厚さに対応させてスリーブ５５を用意しておくのは面倒であり、部品の納期がかかりコストが高くなると思われた。
【特許文献１】実開昭６１−２８９７７号公報（図１）
【発明の開示】
【発明が解決しようとする課題】
【０００９】
本発明は、上記の問題を解決しようとするものであり、打設するコンクリート壁の厚さに合わせた長さのものをいちいち用意しておく必要のない壁貫通用スリーブを提供することを目的とする。
【課題を解決するための手段】
【００１０】
請求項１記載の壁貫通用スリーブは、コンクリート壁に埋設されて、該コンクリート壁を貫通する壁貫通用スリーブであって、筒状に形成された合成樹脂製のスリーブと、円盤状のフランジを一体に有した筒状であって、その両端に前記スリーブの差込口を備えた合成樹脂製の接続体とからなり、前記スリーブは、一端に管又は管接続体が接続可能な接続部を備え、他端側は、適宜切断されて前記差込口に挿入され、前記接続体と接続可能となっていることを特徴とする。
【００１１】
請求項２記載の壁貫通用スリーブは、請求項１に従属し、接続体は、支骨鉄筋に架設支持された鉄筋を挿通する鉄筋挿通孔を備えた鉄筋固定部と、手により三次元方向に折り曲げ自在な線材を挿通する線材挿通孔を備えた線材固定部とを備えていることを特徴とする。
【００１２】
請求項３記載の壁貫通用スリーブは、請求項１または２に従属し、接続体のフランジが、接続体の軸方向長さの中心から偏った位置に設けられていることを特徴とする。
【００１３】
請求項４記載の壁貫通用スリーブは、請求項１から３のいずれかに従属し、スリーブの接続部は、他の部分である本体筒部に比べて、より径が大きくなっていることを特徴とする。
【発明の効果】
【００１４】
請求項１記載の壁貫通用スリーブによれば、コンクリート壁に埋設されて、該コンクリート壁を貫通する壁貫通用スリーブであって、筒状に形成された合成樹脂製のスリーブと、円盤状のフランジを一体に有した筒状であって、その両端に前記スリーブの差込口を備えた合成樹脂製の接続体とからなり、前記スリーブは、一端に管又は管接続体が接続可能な接続部を備え、他端側は、適宜切断されて前記差込口に挿入され、前記接続体と接続可能となっているので、現場でコンクリート壁の厚さに合わせて長さ調節が可能であり、打設するコンクリート壁の厚さに合わせた長さのものをいちいち用意しておく必要がなくなる。
【００１５】
請求項２記載の壁貫通用スリーブによれば、請求項１の効果に加え、接続体は、支骨鉄筋に架設支持された鉄筋を挿通する鉄筋挿通孔を備えた鉄筋固定部と、手により三次元方向に折り曲げ自在な線材を挿通する線材挿通孔を備えた線材固定部とを備えているので、必要な場合には、鉄筋や線材を用いて、接続体つまりは壁貫通用スリーブをコンクリート打設に耐えるようにより強固に保持することができる。
【００１６】
請求項３記載の壁貫通用スリーブによれば、請求項１または２の効果に加え、接続体のフランジが、接続体の軸方向長さの中心から偏った位置に設けられているので、壁貫通用スリーブ同士をコンクリート壁内により近接させて設置することができる。
【００１７】
請求項４記載の壁貫通用スリーブによれば、請求項１から３のいずれかの効果に加え、スリーブの接続部は、他の部分である本体筒部に比べて、より径が大きくなっているので、接続部に接続すべき管又は管接続体の有効内径と壁貫通用スリーブの有効内径を一致させることができ、壁貫通用スリーブの有効内径を確保することができる。
【発明を実施するための最良の形態】
【００１８】
以下に、本発明の実施の形態（実施例）について、図面を用いて説明する。
【実施例１】
【００１９】
図１は、本発明の壁貫通用スリーブの一例を構成するスリーブを示すもので、（ａ）はその縦断面図、（ｂ）はその前面図である。
【００２０】
このスリーブ５は、合成樹脂製で、全体として段付き筒形状であって、一方端が接続部１として、その径が大きくなっている。接続部１に比べ、より小径の部分を本体筒部２とする。
【００２１】
接続部１は、コンクリート壁の壁面に開口する側となるもので、管又は管接続体が接続可能なものとなっている。
【００２２】
接続部１に接続された管又は管接続体の内径と、本体筒部２の内径とが同じとなるようにしておくと、通路の有効内径として同一のものを確保することができて、通路としての有用性が高くなる。
【００２３】
接続部１の長さは、接続された管又は管接続体と嵌まり合うのに十分な長さが確保されればよく、スリーブ５の残りは全て本体筒部２として同一の内外径となっている。このため、この本体筒部２をどこで切断しても、後述するように、接続体１０の差込口７に同じ嵌合状態で接続することができる。
【００２４】
スリーブ５の素材である合成樹脂製の種類は、特に限定されないが、一般に広く用いられているＰＶＣ（ポリ塩化ビニル）が好適であり、このＰＶＣの場合、低価格とすることができる。
【００２５】
図２は、本発明の壁貫通用スリーブの一例を構成する接続体を示すもので、（ａ）はその一部破断の正面図、（ｂ）はその前面図である。
【００２６】
この接続体１０は、円盤状のフランジ６を一体に有した筒状であって、その両端に上記スリーブ５の本体筒部２を受け入れる差込口７を備えた合成樹脂製のものである。
【００２７】
フランジ６は、筒状の接続体１０の外周の軸方向長さの中心部分に設けられ、図８の背景技術の接続体５８が備える防水フランジ５６と同様に、防水の役目を果たすものである。
【００２８】
接続体１０の差込口７の内径とスリーブ５の本体筒部２の外径との関係は、両者を嵌め込んで接着剤で固定した場合に、水漏れ、固定不完全が生じない程度のものとなっている。
【００２９】
差込口７の長さは、現場で長さを適宜切断して用いられるスリーブ５の本体筒部２の不揃いで、軸方向に直角でない切断端面にも対応可能なように、通常の嵌め込み、接着剤固定に必要な長さに比べ、長くなっている。
【００３０】
両側の差込口７の中央には、挿し込まれたスリーブ５の本体筒部２が接触するような中央突部１０ａが設けられている。この中央突部１０ａの内径は、本体筒部２の内径より小さくならないようにして、通路としての有効内径を確保している。
【００３１】
接続体１０の外周両端近傍には、支骨鉄筋に架設支持された鉄筋を挿通する鉄筋挿通孔８ａを備えた鉄筋固定部８と、手により三次元方向に折り曲げ自在な線材を挿通する線材挿通孔９ａを備えた線材固定部９とが設けられている。
【００３２】
この接続体１０では、両側一対の鉄筋固定部８と線材固定部９とは、筒状の接続体の外周の対向する位置（上下の位置）に設けられているが、このような配置に限定されるものではない。
【００３３】
接続体１０の素材である合成樹脂製の種類は、特に限定されないが、一般に広く用いられているＰＶＣ（ポリ塩化ビニル）が好適であり、このＰＶＣの場合、低価格とすることができる。
【００３４】
また、接続体１０とスリーブ５との素材を同一のものとしておくと、材料の種類の統一によるコストメリット、接着時の接着性向上のメリットがある。
【００３５】
図３は、本発明の壁貫通用スリーブの一例を構成する保護具を示すもので、（ａ）はその正面図、（ｂ）はその裏面図、（ｃ）は（ａ）のＡＡ断面図、（ｄ）は（ａ）のＢＢ断面図、（ｅ）はその外観斜視図である。
【００３６】
この保護具２０は、スリーブ５の接続部１に埋設され、この接続部１を保護するために用いられる。
【００３７】
その特徴は、スリーブ５の接続部１の内面全周に密接嵌合してその接続部１の開口側を閉塞する嵌合部１１と、コンクリート壁ＫＷを形成するための型枠ＷＦ（図６参照。）に対して取り外し可能に該保護具２０を固定するための固定部１２とを備えたことにある。
【００３８】
保護具２０は、上記の構成に加え、外周側となる嵌合部１１と中心側となる固定部１２とを補強桟１３で連結した円筒状となっており、その反型枠側をフタ部１５で閉止したものとなっている。
【００３９】
更に、保護具２０は、接続部１の端面に当接し、この接続部１の端面と型枠ＷＦとの間に介在するフランジ部１４（図６参照。）を備えている。
【００４０】
固定部１２は、より具体的には、六角ボルト１６（図６参照。）の軸部が挿入される、保護具２０の反型枠側から型枠側に貫通する固定孔１２ａと、この固定孔１２ａの反型枠側に設けられ、六角ボルト１６の六角頭部に対応した六角凹所１２ｂとを備えている。
【００４１】
また、この保護具２０においては、上記の固定部１２（固定孔１２ａと六角凹所１２ｂ）以外に、フタ部１５から型枠ＷＦ側に固定手段である釘を打ち込んで、保護具２０を型枠ＷＦに固定するための固定手段貫通部１２Ａも併せて備えている。
【００４２】
この固定手段貫通部１２Ａは、型枠ＷＦへの取り付けに用いる釘が抵抗なく打ち込めるような孔径の貫通孔であり、その釘を打ち込んだ場合でも、保護具２０が破損しないようなものである。
【００４３】
また、固定手段貫通部１２Ａは完全に貫通するものではなく、その一部に釘の打ち込みで簡単に破れる閉止部１２ｃが形成されている。この閉止部１２ｃは、この保護具２０を取り付けた状態の壁貫通用スリーブ３０の内部が、この保護具２０から侵入する塵埃などで汚染されないようにするものである。
【００４４】
この保護具２０の素材としては、成形性があり、機械的強度の良い合成樹脂が好適であり、例えば、ＰＥ（ポリエチレン）が好適である。
【００４５】
図４は、図１のスリーブ、図２の接続体、図３の保護具を組み合わせた壁貫通用スリーブを示す一部破断の正面図である。これより既に説明した部分には同じ符号を付して、重複説明を省略する。
【００４６】
本発明の壁貫通用スリーブ３０は、この図４から解るように、図１のスリーブ５の本体筒部２が、図２の接続体１０の差込口７に差し込まれ、両端の接続部１の開口に図３の保護具２０が嵌め込まれて閉止されたもので、コンクリート壁に埋設されて、該コンクリート壁を貫通する通路を提供するために用いられる。
【００４７】
以下、図５、図６を用いて、このような構成の壁貫通用スリーブ３０の使用方法について説明する。
【００４８】
図５（ａ）、（ｂ）は、図４の壁貫通用スリーブの使用方法の説明図、図６（ａ）、（ｂ）は、図５に続いて、図４の壁貫通用スリーブの使用方法の説明図である。なお、図６（ａ）は、壁貫通用スリーブ３０を型枠ＷＦに取り付けた状態を示す斜視図、図６（ｂ）は、（ａ）の型枠ＷＦとスリーブ５との固定部分の断面図である。
【００４９】
まず、図５（ａ）に示すように、壁貫通用スリーブ３０のスリーブ５を２個と、接続体１０を１個用意し、スリーブ５の本体筒部２の長さを、打設すべきコンクリート壁ＫＷの厚さに合わせて切断し、接続体１０の差込口７との嵌め合わせ部分に接着剤Ｇを塗布して、差込口７に差し込む。
【００５０】
この際、スリーブ５の長さ調節の切断は、２個の内、一方だけで行ってもよいし、両方について行ってもよい。
【００５１】
この際、必要に応じて、２個のスリーブ５の内、どちらを切断するか、両方切断するかを選択できるので、現場での長さへの対応範囲も広く、接続体１０の位置、つまり、フランジ６の位置への対応範囲も広い。例えば、壁内の鉄筋にフランジ６が当たるようなことを避けることができる範囲が広い。
【００５２】
また、この壁貫通用スリーブ３０は、それぞれの部品が合成樹脂で製されているので、コストが安く、重さも軽い。また、防水目的のフランジ６を含め、水分の多いコンクリート壁内において、耐水性がよく、錆びることもない。
【００５３】
長さ調節と、接続体１０とスリーブ５の一体化が済んだら、図６（ａ）に示すように、鉄筋固定部８の鉄筋挿通孔８ａに鉄筋ＳＫを挿通させて、この鉄筋ＳＫを既設の支骨鉄筋（不図示）に連結固定することで、壁貫通用スリーブ３０の打設されるべきコンクリート壁内での位置決め固定を行う。
【００５４】
この際、必要に応じ、線材固定部９の線材挿通孔９ａに手により三次元方向に折り曲げ自在な線材ＳＺを挿通し、この線材ＳＺの端部を鉄筋ＳＫに取り付けて、接続体１０の固定補強を行うのがよい。
【００５５】
この線材ＳＺは、一定の剛性を有するものであるので、図６（ａ）に示すように、下方で鉄筋固定部８により固定された壁貫通用スリーブ３０の上方にある線材固定部９を押し付けるように線材ＳＺの端部を鉄筋ＳＫに縛り付けることで、壁貫通用スリーブ３０をより安定した状態で確実に固定することができる。
【００５６】
このように、この壁貫通用スリーブ３０は、下方側に用いられる左右一対の鉄筋固定部８と、上方側に用いられる左右一対の線材固定部９とで共同して、壁貫通用スリーブ３０を固定するので、より安定、確実に型枠内で固定される。
【００５７】
また、線材ＳＺは、屈曲可能で長さも自由に選択できるので、その線材ＳＺの他端を取り付けられる範囲が広く、どこにても取り付け可能である。
【００５８】
また、鉄筋固定部８と線材固定部９とは軸方向の同じ位置に設けられているので、壁貫通用スリーブ３０をバランス良く固定することができる。
【００５９】
また、状況によって、鉄筋固定部８と線材固定部９のどちらか一方しか使用できない場合は、どちらか一方だけでも固定可能であり、その場合、この壁貫通用スリーブ３０では、固定部が２種類あるので、選択枝が広い。
【００６０】
また、図６（ｂ）に示すように、必要に応じて補助的に、あるいは、上述の鉄筋固定部８あるいは線材固定部９による固定の代わりに、六角ボルト１６を設置した保護具２０をスリーブ５の接続部１に嵌め込み、この六角ボルト１６のネジ先が、型枠ＷＦの固定孔に入るようにして、型枠ＷＦと壁貫通用スリーブ３０とを固定する。
【００６１】
この際、  この作業の間、保護具２０は、壁貫通用スリーブ３０の両端開口である接続部１を密封して、壁貫通用スリーブ３０の内部が汚染されるのを防止し、固定部１２の六角ボルト１６により型枠ＷＦにしっかり壁貫通用スリーブ３０を固定保持する役割を果たす。
【００６２】
また、固定部１２の六角凹所１２ｂに六角ボルト１６の頭部が嵌まり込んで、保護具２０に対して、六角ボルト１６が相対的に回転することがなく、保護具２０のフランジ部１４を型枠ＷＦに当接した状態では、六角ボルト１６のネジ部の先端にネジ係合させた六角ナット１６ａを回転して締め付ける際、保護具２０側を特に回転規制することなく、締付ができるので作業性がよい。
【００６３】
なお、型枠ＷＦ側に六角ボルト１６の頭部を持ってきて、保護具２０の六角凹所１２ｂに六角ナット１６ａを嵌めて締め付けるようにしてもよい。
【００６４】
また、六角ボルト１６を用いることなく、保護具２０側から、その固定部（固定手段貫通部）１２Ａを用いて保護具２０を型枠ＷＦに固定手段である釘を用いて固定するようにしてもよい。
【００６５】
つまり、この保護具２０では、固定部１２を用いた六角ボルト１６による固定と、固定部（固定手段貫通部）１２Ａを用いた釘による固定の内から、現場での状況に合わせて選択的に用いることができるので、適用性が高い。
【００６６】
また、保護具２０による型枠ＷＦへの固定が不要な場合でも、この保護具２０は壁貫通用スリーブ３０の両端の接続部１の端面と内周側が汚染されたり、外部からの塵埃の侵入を防止したりする役割を果たす。この場合は、例えば、固定部１２の孔を粘着テープで封止しておいたり、固定部２１に短寸の六角ボルトを入れておけばよい。
【００６７】
図６の準備が済むと、コンクリートを打設し、その打設が終了しコンクリートが固化したら、六角ボルト１６を締め付けている六角ナット１６ａを取り外し、型枠ＷＦを取り除き、保護具２０を取り外すと図５（ｂ）の状態となる。
【００６８】
この状態で、例えば、図示するように、角形の波付き管ＳＰを接続可能とする管継手Ｐ１の端部に接着剤Ｇを塗布して、壁貫通用スリーブ３０の一方側の接続部１に差し込んで、固定接続することができる。
【００６９】
上記打設の際、保護具２０は、固定のために用いられた場合には、その固定部１２に挿嵌された六角ボルト１６で強固に型枠ＷＦに締付固定され、その嵌合部１１で接続部１を強固に保持するので、コンクリートの打設に打ち勝って、壁貫通用スリーブ３０の位置と姿勢を維持することができる。
【００７０】
また、この保護具２０は、嵌合部１１と固定部１２とを補強桟１３で連結した円筒状となっており、その反型枠側をフタ部１５で閉止した頑丈な構造となっているので、より強固に接続部１を保持し、コンクリート打設への対抗力を増加させる。
【００７１】
なお、この保護具２０では、フタ部１５は、反型枠側にだけ設けられ、型枠ＷＦ側は補強桟１３などが見える開放状態となっている。したがって、この保護具２０を取り除く際には、補強桟１３などの部分の空き空間に指先を差し入れて、簡単に取り外すことができるので、便利が良い。
【００７２】
さらに、この保護具２０の嵌合部１１は、接続部１の全長の３分の１以上の長さに渡って、その接続部１に嵌合しているので、コンクリートの打設に打ち勝って、さらにより強固に壁貫通用スリーブ３０を保持し、コンクリート打設への対抗力を増加させる。
【００７３】
また、保護具２０の嵌合部１１は、スリーブ５の接続部１については、その全長の半分以上の内周にわたって嵌合しているので、この部分に内外の塵埃などが付着したりすることを防止することができ、管継手Ｐ１の接着接合や、シールによる水蜜維持に悪影響を与えることがない。
【００７４】
また、保護具２０は、接続部１に接続すべき管や管継手を接続するまでは、この接続部１に設置したままとしておくと、この接続部１と、その内側となる壁貫通用スリーブ３０の内部が汚染されるのを防ぐことができる。
【００７５】
さらに、図６（ｂ）から解るように、管継手Ｐ１などを接続する前に、保護具２０を取り去ったのちには、コンクリート壁ＫＷの壁面と、壁貫通用スリーブ３０の外側となる接続部１の端面との間には、取り去った保護具２０のフランジ部１４の厚さ分だけの段差Ｈが生じる。
【００７６】
このような段差Ｈを生じさせる保護具２０のフランジ部１４は、ごく薄いものであるが、たとえ壁貫通用スリーブ３０の型枠ＷＦへの固定等に多少の傾きがあったとしても、壁貫通用スリーブ３０の外側表面である接続部１端面が、コンクリート壁ＫＷの壁面から飛び出ないようにして、この壁面を基準として、直角方向に設置すべき管継手などの設置に支障がないようしている。
【００７７】
このような保護具２０の多数の効果は、これを構成部品として用いた壁貫通用スリーブ３０については、スリーブ３０の効果として発揮されるものである。
【実施例２】
【００７８】
図７は、本発明の壁貫通用スリーブの他例とその使用方法の説明図である。
【００７９】
この壁貫通用スリーブ３０Ａは、図４の壁貫通用スリーブ３０に比べ、接続体１０Ａのフランジ６Ａが、接続体１０Ａの軸方向長さの中心から偏った位置に設けられている点が異なっている。
【００８０】
このようにすると、この図７で解るように、接続体１０Ａの向きを変えることで、打設しようとするコンクリート壁ＫＷ内で、壁貫通用スリーブ３０Ａ同士を近接して設置したい場合、フランジ６Ａ同士が、互いにその外周端で接触しないようにして、より近接して設置することができる。
【００８１】
また、本発明の壁貫通用スリーブは、上記の実施例に限定されず、特許請求の範囲に記載された範囲、実施例の範囲で、種々の変形例、組み合わせが可能であり、本発明の技術的範囲には、これらの変形例、組み合わせも含まれるものである。
【産業上の利用可能性】
【００８２】
本発明の壁貫通用スリーブは、打設するコンクリート壁の厚さに合わせた長さのものをいちいち用意しておく必要のないことが要請される産業上の分野に用いることができる。
【図面の簡単な説明】
【００８３】
【図１】本発明の壁貫通用スリーブの一例を構成するスリーブを示すもので、（ａ）はその縦断面図、（ｂ）はその前面図
【図２】本発明の壁貫通用スリーブの一例を構成する接続体を示すもので、（ａ）はその一部破断の正面図、（ｂ）はその前面図
【図３】本発明の壁貫通用スリーブの一例を構成する保護具を示すもので、（ａ）はその正面図、（ｂ）はその裏面図、（ｃ）は（ａ）のＡＡ断面図、（ｄ）は（ａ）のＢＢ断面図、（ｅ）はその外観斜視図
【図４】図１のスリーブ、図２の接続体、図３の保護具を組み合わせた壁貫通用スリーブを示す一部破断の正面図
【図５】（ａ）、（ｂ）は、図４の壁貫通用スリーブの使用方法の説明図
【図６】（ａ）、（ｂ）は、図５に続いて、図４の壁貫通用スリーブの使用方法の説明図
【図７】本発明の壁貫通用スリーブの他例とその使用方法の説明図
【図８】本発明の背景技術となる壁貫通用スリーブの一例の使用方法の説明図
【符号の説明】
【００８４】
１        接続部
２        本体筒部
５        スリーブ
６、６Ａ        フランジ
７        差込口
８        鉄筋固定部
８ａ      鉄筋挿通孔
９        線材固定部
９ａ      線材挿通孔
１０、１０Ａ        接続体
１１        嵌合部
１２        固定部      
２０        保護具
３０、３０Ａ        壁貫通用スリーブ
ＫＷ      コンクリート壁
ＷＦ      型枠
Ｐ        管
Ｐ１      管継手
【図１】
2008308936.tif 000003
【図２】
2008308936.tif 000004
【図３】
2008308936.tif 000005
【図４】
2008308936.tif 000006
【図５】
2008308936.tif 000007
【図６】
2008308936.tif 000008
【図７】
2008308936.tif 000009
【図８】
2008308936.tif 000010